(57)【要約】【課題】比較的簡単な構成で、ストリーミングコンテンツ提供者が意図したコピー制御を可能とする。【解決手段】ネットワークを介してストリーミングサーバ１０から提供されるコピー制御情報を付与されていないストリーミングコンテンツであっても、このストリーミングコンテンツがクライアント端末２０に予め設定されている条件に該当するストリーミングコンテンツであるときには、クライアント端末２０が、受信したこのストリーミングコンテンツの再生信号を出力する際に、該再生信号にコピー制御情報を付与してＴＶ／録画機器４０へ出力する。【選択図】図１
2010028239.tif 000002
【特許請求の範囲】
【請求項１】
ネットワークを介してストリーミングサーバから提供されるコピー制御情報を付与されていないストリーミングコンテンツが、該ストリーミングコンテンツを受信したクライアント端末に予め設定されている条件に該当するストリーミングコンテンツであるとき、前記クライアント端末が前記受信したストリーミングコンテンツの再生信号を出力する際に、該再生信号にコピー制御情報を付与することを特徴とするＩＰストリーミングコピー制御方法。
【請求項２】
前記クライアント端末が受信したストリーミングコンテンツがＤＲＭ暗号化されていることを前記条件として設定することを特徴とする請求項１に記載のＩＰストリーミングコピー制御方法。
【請求項３】
ネットワークを介してストリーミングコンテンツを提供するコンテンツ提供サーバのアドレスが、前記クライアント端末に予め作成されて保存されているＵＲＬリストと一致していることを前記条件として設定することを特徴とする請求項１に記載のＩＰストリーミングコピー制御方法。
【請求項４】
前記コピー制御情報として、アナログインタフェースに対してはＣＧＭＳ−Ａの「コピー不可」とマクロビジョンを付与し、デジタルインターフェースに対してはＣＧＭＳ−Ｄの「コピー不可」を付与することを特徴とする請求項１〜３の何れか１項に記載のＩＰストリーミングコピー制御方法。
【請求項５】
ネットワークを介してストリーミングコンテンツを提供するストリーミングサーバと、該ストリーミングサーバから提供されるストリーミングコンテンツを受信して再生信号を出力するクライアント端末とからなるＩＰストリーミングコピー制御システムであって、
前記クライアント端末にコピー制御情報付与手段を備え、該コピー制御情報付与手段は、コピー制御情報が付加されていないストリーミングコンテンツを受信したとき、該受信したストリーミングコンテンツが、当該クライアント端末に予め設定されている条件に該当するストリーミングコンテンツである場合には、前記受信したストリーミングコンテンツの再生信号を出力する際に、該再生信号にコピー制御情報を付与して出力する機能を有していることを特徴とするＩＰストリーミングコピー制御システム。
【請求項６】
前記コピー制御情報付与手段は、前記クライアント端末が受信したストリーミングコンテンツがＤＲＭ暗号化されていることを前記条件として、前記再生信号にコピー制御情報を付与する機能を有していることを特徴とする請求項５に記載のＩＰストリーミングコピー制御システム。
【請求項７】
前記コピー制御情報付与手段は、ネットワークを介してストリーミングコンテンツを提供するコンテンツ提供サーバのアドレスが、前記クライアント端末に予め作成されて保存されているＵＲＬリストと一致していることを前記条件として、前記再生信号にコピー制御情報を付与する機能を有していることを特徴とする請求項５に記載のＩＰストリーミングコピー制御システム。
【請求項８】
前記付与されるコピー制御情報は、アナログインタフェースに対してはＣＧＭＳ−Ａの「コピー不可」とマクロビジョンであり、デジタルインターフェースに対してはＣＧＭＳ−Ｄの「コピー不可」であることを特徴とする請求項５〜７の何れか１項に記載のＩＰストリーミングコピー制御システム。
【請求項９】
請求項５に記載のＩＰストリーミングコピー制御システムに用いられるクライアント端末であって、
コピー制御情報が付加されていないストリーミングコンテンツを受信したとき、該受信したストリーミングコンテンツが、当該クライアント端末に予め設定されている条件に該当するストリーミングコンテンツである場合には、前記受信したストリーミングコンテンツの再生信号を出力する際に、該再生信号にコピー制御情報を付与して出力するコピー制御情報付与手段を備えていることを特徴とするクライアント端末。
【請求項１０】
前記コピー制御情報付与手段は、前記クライアント端末が受信したストリーミングコンテンツがＤＲＭ暗号化されていることを前記条件として、前記再生信号にコピー制御情報を付与する機能を有していることを特徴とする請求項９に記載のクライアント端末。
【請求項１１】
前記コピー制御情報付与手段は、ネットワークを介してストリーミングコンテンツを提供するコンテンツ提供サーバのアドレスが、前記クライアント端末に予め作成されて保存されているＵＲＬリストと一致していることを前記条件として、前記再生信号にコピー制御情報を付与する機能を有していることを特徴とする請求項９に記載のクライアント端末。
【請求項１２】
前記付与されるコピー制御情報は、アナログインタフェースに対してはＣＧＭＳ−Ａの「コピー不可」とマクロビジョンであり、デジタルインターフェースに対してはＣＧＭＳ−Ｄの「コピー不可」であることを特徴とする請求項９〜１１の何れか１項に記載のクライアント端末。
【請求項１３】
コンピュータに、コピー制御情報が付加されていないストリーミングコンテンツを受信したとき、該受信したストリーミングコンテンツが、当該クライアント端末に予め設定されている条件に該当するストリーミングコンテンツである場合、前記受信したストリーミングコンテンツの再生信号を出力する際に、該再生信号にコピー制御情報を付与して出力する処理を実行させるためのプログラム。
【請求項１４】
前記クライアント端末が受信したストリーミングコンテンツがＤＲＭ暗号化されていることを前記条件として、前記再生信号にコピー制御情報を付与して出力する処理を実行させる請求項１３に記載のプログラム。
【請求項１５】
ネットワークを介してストリーミングコンテンツを提供するコンテンツ提供サーバのアドレスが、前記クライアント端末に予め作成されて保存されているＵＲＬリストと一致していることを前記条件として、前記再生信号にコピー制御情報を付与して出力する処理を実行させる請求項１３に記載のプログラム。
【発明の詳細な説明】
【技術分野】
【０００１】
本発明は、ネットワークを介してコンテンツ提供サーバからストリーミングサービスで受信したコンテンツに対するコピー制御技術に関する。
【背景技術】
【０００２】
衛星を用いたデジタルストリーミング放送システム、あるいは光ファイバ回線やＡＤＳＬ回線等の高速通信回線を介してデータ量の多い映画や音楽等のデジタルコンテンツをストリーミング配信するシステムでは、ユーザーがＳＴＢ（Set Top Box）あるいはパーソナルコンピュータなどのユーザー端末からコンテンツサーバにアクセスして所望のコンテンツの配信を要求すると、アクセスされたコンテンツサーバから、ユーザー端末に対して前記コンテンツがストリーミング送信される。ユーザー端末は、このストリーミングコンテンツを受信して再生し、再生信号をＴＶ等の映像・音声機器に出力する（特許文献１〜４等参照）。
【０００３】
【特許文献１】特開２０００−２７０３０９号公報
【特許文献２】特開２００２−１１１６５２号公報
【特許文献３】特表２００５−５１４７１６号公報
【特許文献４】特開２００７−０８８７０４号公報
【発明の開示】
【発明が解決しようとする課題】
【０００４】
従来のＩＰストリーミングサービスの映像出力は、コピー制御が行われておらず、そのままアナログ信号として録画可能であったため、コンテンツ事業者から魅力的なコンテンツがあまり提供されないという問題があった。
【０００５】
そのため、例えば特許文献３に記載の発明では、デジタル通信ネットワークを通じて提供されるコンテンツのデジタル権利管理（ＤＲＭ）とコピー防止と組み合わせることにより、コピー絶対禁止、一度だけのコピー、世代間コピーの制御、無制限のコピー等の制御を可能にする旨記載されているが、ＤＲＭの中に、コピー絶対禁止、一度だけのコピー、世代間コピーの制御、無制限のコピー等の制御情報をどのように含ませるのかについての記載はなく、また、ＤＲＭの中にそのような情報を含ませる分、その構成が複雑となる可能性がある。
【０００６】
また、特許文献４に記載の発明では、コンテンツを再生する端末と、コンテンツ利用の第一次認証を行う認証サーバとが電子通信手段を介して接続されたサーバ構築型ストリーミングシステムを構成し、前記端末に、サーバ構築手段と、前記コンテンツを記憶する第一コンテンツ記憶手段と、第一次復号化を行う第一次復号化手段と、前記コンテンツのストリーミング再生を行う再生視聴手段と、第二次キー作成手段と、第二次暗号化を順次行う第二次暗号化手段と、第二次キー挿入手段と、を設けることによって、受信したストリームコンテンツを端末内ストレージに取り込むことによりスムーズなストリーミング再生を実現すると共に、該コンテンツのコピー被害を防止する技術が提案されている。
【０００７】
しかし、特許文献４に記載の発明の場合、そのために端末内サーバ部を設け、該端末内サーバ部内において、第一次復号化が行われたデータを、コンテンツ・ゲートウェイ手段を介して再生視聴手段に送出すると共に、再生された部分に第二次暗号化を随時行い、二回目以降の再生にはこの第二次暗号を第二次復号化することにより視聴するための手段を設ける必要があり、その分、端末の構成が複雑となる。
【０００８】
本発明の目的は、ネットワークを介してコンテンツ提供サーバから受信したストリーミングコンテンツにおける上述した課題を解決することが可能な、コピー防止手段を提供することにある。
【課題を解決するための手段】
【０００９】
本発明のＩＰストリーミングコピー制御方法は、ネットワークを介してストリーミングサーバから提供されるコピー制御情報を付与されていないストリーミングコンテンツが、該ストリーミングコンテンツを受信したクライアント端末に予め設定されている条件に該当するストリーミングコンテンツであるとき、前記クライアント端末が前記受信したストリーミングコンテンツの再生信号を出力する際に、該再生信号にコピー制御情報を付与することを特徴とする。
【００１０】
本発明のＩＰストリーミングコピー制御システムは、ネットワークを介してストリーミングコンテンツを提供するストリーミングサーバと、該ストリーミングサーバから提供されるストリーミングコンテンツを受信して再生信号を出力するクライアント端末とからなるＩＰストリーミングコピー制御システムであって、前記クライアント端末にコピー制御情報付与手段を備え、該コピー制御情報付与手段は、コピー制御情報が付加されていないストリーミングコンテンツを受信したとき、該受信したストリーミングコンテンツが、当該クライアント端末に予め設定されている条件に該当するストリーミングコンテンツである場合には、前記受信したストリーミングコンテンツの再生信号を出力する際に、該再生信号にコピー制御情報を付与して出力する機能を有していることを特徴とする。
【００１１】
本発明のＩＰストリーミングコピー制御システムに用いられるクライアント端末は、コピー制御情報が付加されていないストリーミングコンテンツを受信したとき、該受信したストリーミングコンテンツが、当該クライアント端末に予め設定されている条件に該当するストリーミングコンテンツである場合には、前記受信したストリーミングコンテンツの再生信号を出力する際に、該再生信号にコピー制御情報を付与して出力するコピー制御情報付与手段を備えていることを特徴とする。
【００１２】
本発明のプログラムは、コンピュータに、コピー制御情報が付加されていないストリーミングコンテンツを受信したとき、該受信したストリーミングコンテンツが、当該クライアント端末に予め設定されている条件に該当するストリーミングコンテンツである場合には、前記受信したストリーミングコンテンツの再生信号を出力する際に、該再生信号にコピー制御情報を付与して出力する処理を実行させることを特徴とする。
【発明の効果】
【００１３】
本発明によれば、コピー制御が行われていないＩＰストリーミンググコンテンツであっても、ユーザー端末（クライアント端末）側に予め設定した条件に従って、ストリーミングコンテンツの再生信号に自動的にコピー制御情報を付与する手段を設けたので、比較的簡単な構成で、コンテンツ提供者が意図したコピー制御が可能となり、また、コンテンツ提供者から優良なコンテンツの提供が可能となる。
【発明を実施するための最良の形態】
【００１４】
図１は、本発明の実施形態を示すＩＰストリーミングコピー制御システムの概要を示すブロック図である。
【００１５】
本実施形態のＩＰストリーミングコピー制御システムは、コンテンツプロバイダから提供されるコンテンツを衛星放送波あるいはインターネット等を介してストリーム配信するストリーミングサーバ１０と、一般家庭等に設置されてストリーミングサーバ１０にアクセスすることにより、ストリーミングサーバ１０から配信されるコンテンツを受信可能なＳＴＢ(Set Top Box)あるいはパソコン（ＰＣ）等からなるクライアント端末２０と、クライアント端末２０との間で適宜接続されて、クライアント端末２０に対してストリーミングサーバ１０から配信される暗号化コンテンツを利用可能にするための鍵情報等を配布するＤＲＭ(Digital Rights Management；デジタル著作権管理)認証サーバ３０と、クライアント端末２０により再生されたコンテンツの映像及び音声を表示出力あるいは記録するＴＶ／録画機器４０を備える。録画機器４０はアナログ、デジタル含めた一般的な録画機器である。
【００１６】
クライアント端末２０は、ストリーミングサーバ１０あるいはＤＲＭ認証サーバ３０との間で通信を行う送受信部２１と、ストリーミングサーバ１０から受信したストリーミングコンテンツをデコードして再生信号を出力するデコード部２２と、デコード部２２から出力される再生信号をＴＶ／録画機器４０へ出力する出力部２３を備えている。また、クライアント端末２０は、受信したコンテンツを蓄積することができるハード・ディスク装置のような大容量外部記憶装置を内蔵している。
【００１７】
クライアント端末２０では、送受信部２１により、認証サーバ３０にアクセスして、ストリーミングサーバ１０から配信されるＤＲＭ暗号化コンテンツの解除を行うための鍵情報を取得する。また、ＶＯＤ(Video On Demand)によりストリーミングサーバ１０にアクセスして、ストリーミングサーバ１０から配信されるＤＲＭ暗号化されたストリームコンテンツを受信する。
【００１８】
デコード部２２は、受信したストリームコンテンツがＤＲＭ暗号化コンテンツである場合には、認証サーバ３０から取得した鍵情報を用いて受信したＤＲＭ暗号化コンテンツを解読して再生する。さらに、受信したストリームコンテンツがＤＲＭ暗号化コンテンツである場合には、再生信号に対してコピー制御情報（マクロビジョン、ＣＧＭＳ−Ａ、ＣＧＭＳ−Ｄ等）を付与して出力部２３へ出力するコピー制御情報付与手段を有している。受信したストリームコンテンツがＤＲＭ暗号化されていないコンテンツである場合は、再生信号に対してコピー制御情報は付与されず、そのまま出力される。
【００１９】
図２は、本実施形態の第１の実施例による動作を説明するためのフローチャートである。なお、本実施例では、クライアント端末としてのＳＴＢからストリーミングサーバとしてのＶＯＤサーバにアクセスする場合のフローチャートを示している。以下、図１〜図２を参照して本実施例の動作について説明する。
【００２０】
事前準備として、ストリーミングサーバ１０側において、コピー制御を行いたいコンテンツに対しては、ＤＲＭ暗号化処理が行われる。ＤＲＭの種類は、ＳＴＢが対応しているものであれば、その種類は問わない。エンドユーザーは、視聴したいコンテンツを選択し、ＳＴＢからＶＯＤサーバにアクセスして、ストリーミング接続を行う（Ｓ１）。
【００２１】
選択したコンテンツがＤＲＭ暗号化コンテンツである場合（Ｓ２，Ｙｅｓ）には、認証サーバ３０から取得したＤＲＭライセンス鍵を用いることにより、受信ストリームコンテンツの暗号を解除して再生する（Ｓ３）。そして、映像端子から出力する際には、ＤＲＭ暗号化されたコンテンツであることを契機に、アナログインタフェースに対してはＣＧＭＳ−Ａ(Copy Generation Management System Analog)の「コピー不可」とマクロビジョンを付加し、デジタルインターフェースに対してはＣＧＭＳ−Ｄ(Copy Generation Management System Digital)の「コピー不可」を固定的に付与（Ｓ４）して、ＴＶ／録画機器４０へ出力する（Ｓ５）。
【００２２】
選択したコンテンツがＤＲＭ暗号化コンテンツではない場合（Ｓ２，Ｎｏ）には、受信ストリームコンテンツをそのまま再生し（Ｓ６）、コピー制御情報は付与せずに、ＴＶ／録画機器４０へ出力する（Ｓ５）。
【００２３】
本実施形態によれば、ＩＰストリーミングで使用されている技術とＴＶ放送で使用されているコピー制御技術を連動させることにより、比較的簡単な構成で、映像出力に対しコピー制御を行う事が出来るようになる。また、ＴＶ放送で使用されている既存技術を用いることで、コンテンツ提供者が意図したコピー制御が可能となるため、優良なコンテンツをＩＰプラットフォームで提供することが可能となる。
【００２４】
図３は、本実施形態の第２の実施例による動作を説明するためのフローチャートである。本実施例は、ＵＲＬ（Uniform Resource Locator）リストを用いてコピー制御を行うものである。以下、図１、図３を参照して本実施例の動作について説明する。
【００２５】
事前準備として、コピー制御を行いたいコンテンツが登録されているＵＲＬリストを作成し、ＳＴＢ内に保存する。ＵＲＬリストは予め端末に保存する方法、あるいはサーバから取得して保存する方法等、適宜の手段により実現可能である。エンドユーザーは、視聴したいコンテンツを選択し、ＳＴＢからＶＯＤサーバにアクセスして、ストリーミング接続を行う（Ｓ１１）。
【００２６】
ＶＯＤサーバのアドレスと端末に保存されているＵＲＬリストと照合し（Ｓ１２）、ＶＯＤサーバのアドレスがＵＲＬリストと一致した場合（Ｓ１２，Ｙｅｓ）には、受信ストリームコンテンツを再生して映像端子から出力する際に、アナログインタフェースに対してはＣＧＭＳ−Ａの「コピー不可」とマクロビジョンを付加し、デジタルインターフェースに対してはＣＧＭＳ−Ｄの「コピー不可」を固定的に付与（Ｓ１３、Ｓ１４）して、ＴＶ／録画機器４０へ出力する（Ｓ１５）。
【００２７】
例えば、「www.xxx.co.jp」のＵＲＬが記述されたリストが端末に保存されている場合に、エンドユーザーがＳＴＢから「www.xxx.co.jp」サイトの視聴したいコンテンツを選択し、ストリーミング接続を行うと、「www.xxx.co.jp」はＵＲＬリストに記述されているため、受信ストリームコンテンツを再生して映像端子から出力する際に、上記コピー制御情報が付与される。
【００２８】
アクセスしたＶＯＤサーバのアドレスがＵＲＬリストに記載されていない場合（Ｓ１２，Ｎｏ）には、受信ストリームコンテンツをそのまま再生し（Ｓ１６）、コピー制御情報は付与せずに、ＴＶ／録画機器４０へ出力する（Ｓ１５）。なお、選択したコンテンツがＤＲＭ暗号化コンテンツである場合には、Ｓ１３、Ｓ１６で受信ストリーミングコンテンツを再生する際に、認証サーバ３０から取得したＤＲＭライセンス鍵を用いることにより、受信ストリームコンテンツの暗号を解除して再生する。
【００２９】
このように本実施形態によれば、コピー制御が行われていないＩＰストリーミンググコンテンツであっても、ユーザー端末（クライアント端末）側において独自にコピー制御情報を付与することができるので、比較的簡単な構成で、コンテンツ提供者が意図したコピー制御を行うことができ、コンテンツ事業者は優良なコンテンツをＩＰストリーミングサービスとして提供可能となる。
【００３０】
なお、本実施形態における上述のクライアント端末における処理は、クライアント端末に実装されているＣＰＵ(Central Processing Unit)に、本発明の処理を記述したコンピュータプログラムを実行させることにより実現することもできる。その場合、コンピュータプログラムは、記録媒体に記録して提供する、あるいはインターネットその他の伝送媒体を介して伝送することにより提供することが可能である。提供されたコンピュータプログラムは、内装ＲＯＭ等に格納され、ＣＰＵにより実行される。
【００３１】
また、上記実施例では、クライアント端末としてＳＴＢを用い、ＳＴＢをテレビに接続した場合について説明したが、パソコンやゲーム機器、家電製品一般のストリーミングコンテンツを受信して再生信号を出力可能な機器であれば、本発明のクライアント端末として実施可能である。
【図面の簡単な説明】
【００３２】
【図１】本発明の実施形態を示すＩＰストリーミングコピー制御システムの概要を示すブロック図である。
【図２】本実施形態の第１の実施例による動作を説明するためのフローチャートである。
【図３】本実施形態の第２の実施例による動作を説明するためのフローチャートである。
【符号の説明】
【００３３】
１０  ストリーミングサーバ
２０  クライアント端末
２１  送受信部
２２  デコード部
２３  出力部
３０  認証サーバ
４０  ＴＶ／録画機器
【図１】
2010028239.tif 000003
【図２】
2010028239.tif 000004
【図３】
2010028239.tif 000005